(57)【要約】【課題】耐衝撃性を向上させた電子機器を得る。【解決手段】電子機器１は、筐体５と、筐体５に収容された機能ユニット６とを具備する。筐体５は、機能ユニット６の下方を覆う下壁９を有する。この下壁９は、機能ユニット６に対向したユニット対向領域２４と、機能ユニット６の下方から外れた底面部２３とを有する。ユニット対向領域２４は、底面部２３よりも筐体５の内側に窪んでおり、且つ、ユニット対向領域２４は、筐体５の外側に向けて膨らんだ膨らみ部３５を有する。この膨らみ部３５は、底面部２３よりも筐体５の内側に位置する。【選択図】      図６
2010140267.tif 000002
【特許請求の範囲】
【請求項１】
筐体と、
上記筐体に収容された機能ユニットと、を具備し、
上記筐体は、上記機能ユニットの下方を覆う下壁を有し、この下壁は、上記機能ユニットに対向したユニット対向領域と、上記機能ユニットの下方から外れた底面部とを有し、
上記底面部は、上記機能ユニットに対して傾斜した傾斜面を有し、
上記ユニット対向領域は、上記傾斜面よりも上記筐体の内側に窪んで上記機能ユニットと平行に広がり、且つ、上記ユニット対向領域は、上記筐体の外側に向けて膨らんだ膨らみ部を有し、この膨らみ部は、上記傾斜面よりも上記筐体の内側に位置することを特徴とする電子機器。
【請求項２】
請求項１に記載の電子機器において、
上記機能ユニットは、スピンドル部を有し、
上記膨らみ部は、上記スピンドル部の下方を覆うことを特徴とする電子機器。
【請求項３】
請求項２に記載の電子機器において、
上記膨らみ部は、ドーム状に膨らんでいることを特徴とする電子機器。
【請求項４】
請求項３に記載の電子機器において、
上記筐体の端部に支持された表示部をさらに備えており、
上記傾斜面は、上記表示部を支持した筐体の端部から離れる方向に進むに従い上記筐体の厚さが薄くなるように傾斜していることを特徴とする電子機器。
【請求項５】
請求項４に記載の電子機器において、
上記ユニット対向領域は、上記底面部により３方向から囲まれていることを特徴とする電子機器。
【請求項６】
請求項５に記載の電子機器において、
上記底面部に設けられ、当該電子機器が載置面の上に置かれたときに、上記下壁が上記載置面から浮くように上記筐体を支持する脚部を備えたことを特徴とする電子機器。
【請求項７】
請求項６に記載の電子機器において、
上記ユニット対向領域は、上記表示部とは反対側となる当該ユニット対向領域の縁部と上記膨らみ部との間に設けられ、上記筐体の外側に向けて上記膨らみ部よりも小さく膨らんだ第２の膨らみ部を有したことを特徴とする電子機器。
【請求項８】
筐体と、
上記筐体に収容された機能ユニットと、を具備し、
上記筐体は、上記機能ユニットの下方を覆う下壁を有し、この下壁は、上記機能ユニットに対向したユニット対向領域と、上記機能ユニットの下方から外れた底面部とを有し、
上記ユニット対向領域は、上記底面部よりも上記筐体の内側に窪んでおり、且つ、上記ユニット対向領域は、上記筐体の外側に向けて膨らんだ膨らみ部を有し、この膨らみ部は、上記底面部よりも上記筐体の内側に位置することを特徴とする電子機器。
【発明の詳細な説明】
【技術分野】
【０００１】
本発明は、例えばポータブルコンピュータのような電子機器に関する。
【背景技術】
【０００２】
ポータブルコンピュータのような電子機器は、筐体を備えている。この筐体内には、例えばＨＤＤ(Hard Disk Drive)のような機能ユニットが収容されている。
【０００３】
特許文献１は、筐体の背面に凹溝形状部が設けられた情報処理装置を開示している。この情報処理装置の筐体は、当該筐体の長辺の中心に対して左右対称でかつ当該筐体の短辺にほぼ平行に設けられた２つの第１の凹溝形状部と、この第１の凹溝形状部に略直角に連接し当該筐体の長辺にほぼ平行に設けられた第２の凹溝形状部とを備えている。
【特許文献１】特開２００８−３８７５号公報
【発明の開示】
【発明が解決しようとする課題】
【０００４】
ところで、電子機器の筐体には外部から衝撃が加わることがある。特許文献１に記載のような筐体に機能ユニットを収容した場合、筐体に加わった衝撃が機能ユニットに直接に伝わるおそれがある。そのため上記のような筐体は、耐衝撃性の観点から改良の余地がある。
【０００５】
本発明の目的は、耐衝撃性を向上させた電子機器を得ることにある。
【課題を解決するための手段】
【０００６】
本発明の一つの形態に係る電子機器は、筐体と、上記筐体に収容された機能ユニットとを具備する。上記筐体は、上記機能ユニットの下方を覆う下壁を有する。この下壁は、上記機能ユニットに対向したユニット対向領域と、上記機能ユニットの下方から外れた底面部とを有する。上記ユニット対向領域は、上記底面部よりも上記筐体の内側に窪んでおり、且つ、上記ユニット対向領域は、上記筐体の外側に向けて膨らんだ膨らみ部を有する。この膨らみ部は、上記底面部よりも上記筐体の内側に位置する。
【発明の効果】
【０００７】
本発明によれば、電子機器の耐衝撃性が向上する。
【発明を実施するための最良の形態】
【０００８】
以下に本発明の実施の形態を、ポータブルコンピュータに適用した図面に基づいて説明する。
【０００９】
図１ないし図８は、本発明の一つの実施形態に係る電子機器としてのポータブルコンピュータ１を開示している。図１に示すように、ポータブルコンピュータ１は、機器本体である本体部２と、表示ユニットである表示部３とを備えている。
【００１０】
本体部２は、扁平な箱状に形成された本体筐体５を有している。本体筐体５は、本発明でいう筐体の一例である。以下、本体筐体５を単に筐体５と称する。図１に示すように、筐体５は、ＨＤＤ６を収容している。ＨＤＤ６は、本発明でいう機能ユニットの一例である。なお本発明でいう機能ユニットは、ＨＤＤに限られるものではなく、例えばＯＤＤ(Optical Disk Drive)などでもよい。図３に示すように、ＨＤＤ６は、スピンドル部６ａ（すなわちドライブの回転中心）を有している。
【００１１】
筐体５は、上壁７、周壁８、および下壁９を有する。上壁７は、ＨＤＤ６の上方に位置し、ＨＤＤ６の上方を覆っている。下壁９は、ＨＤＤ６の下方に位置し、ＨＤＤ６の下方を覆っている。周壁８は、上壁７の周縁部から下方に延び、上壁７の周縁部と下壁９の周縁部との間を繋げている。
【００１２】
筐体５は、筐体ベース１１（下カバー）と、筐体カバー１２（上カバー）とを有する。筐体ベース１１は、下壁９と、周壁８の一部とを含む。筐体カバー１２は、上壁７と、周壁８の一部とを含む。筐体カバー１２は、筐体ベース１１に上方から組み合わされている。
【００１３】
図１に示すように、表示部３は、例えば一対のヒンジ部１３ａ，１３ｂを介して、筐体５の後端部５ａ（第１の端部）に支持されている。これにより、表示部３は、筐体５の上壁７を上方から覆うように倒される閉じ位置と、上壁７に対して立て起こされる開き位置との間で回動可能である。
【００１４】
図１に示すように、表示部３は、表示筐体１５と、この表示筐体１５に収容された表示パネル１６とを備えている。表示パネル１６は、表示画面１６ａを有している。表示画面１６ａは、表示筐体１５の前壁の開口部１５ａを通じて表示筐体１５の外部に露出している。
【００１５】
筐体５は、当該筐体５のなかで後端部５ａとは反対側となる前端部５ｂ（第２の端部）を有する。前端部５ｂは、ユーザー側となる端部である。上述の周壁８は、前壁部８ａ、後壁部８ｂ、および左右一対の側壁部８ｃ，８ｄを有する。前壁部８ａは、筐体５の前端部５ｂに位置する。後壁部８ｂは、筐体５の後端部５ａに位置する。左側壁部８ｃおよび右側壁部８ｄは、前壁部８ａの縁部と後壁部８ｂの縁部との間にそれぞれ延びている。
【００１６】
上壁７は、キーボード１７が載置されるキーボード載置部１８を有し、キーボード１７を支持している。上壁７は、キーボード載置部１８の手前側（すなわちキーボード載置部１８よりも前壁部８ａ側）に、パームレスト部１９を有する。
【００１７】
図２および図３に示すように、筐体５の下壁９には、複数の脚部２１が設けられている。脚部２１は、ポータブルコンピュータ１を載置面Ｓ（例えば机上）に置いたとき、その載置面Ｓに接して筐体５を支持する。脚部２１は、下壁９が載置面Ｓから浮くように筐体５を支持する。
【００１８】
図２に示すように、筐体５は、前端部５ｂが後端部５ａに比べて厚さが小さくなっている。筐体５は、例えば脚部２１の高さが調整されていることで、ポータブルコンピュータ１を水平な載置面Ｓに置いたときに、操作者側に向かってキーボード１７が手前下がりになるように傾斜する。
【００１９】
詳しく述べると、上壁７は、筐体５の後端部５ａから前端部５ｂに亘り、後端部５ａに比べて前端部５ｂが低くなるように傾斜する。下壁９は、当該下壁９のうち後壁８ｂに繋がる後部９ａと、前壁８ａに繋がる前部９ｂとを有する。ポータブルコンピュータ１を載置面Ｓに置いたときに、下壁９の後部９ａは、上壁７と平行になるように傾斜する。下壁９の前部９ｂは、下壁９の後部９ａに対して折れ曲がり、後部９ａに対して傾斜する。筐体５は、前傾姿勢にある筐体５の下壁９が載置面Ｓに接触しないように筐体５の厚さが薄くなっている。
【００２０】
図５および図６に示すように、ＨＤＤ６は、筐体５の最下層に内蔵されている。図６に示すように、ＨＤＤ６は、上壁７と平行な姿勢で実装されている。すなわちＨＤＤ６は、ポータブルコンピュータ１を水平な載置面Ｓに置いたときに、載置面Ｓに対して傾斜する。
【００２１】
図３は、筐体５を下方から図示した（すなわち下壁９を平面視した）ものである。図３に示すように、下壁９は、底面部２３と、第１の凹部であるユニット対向領域２４と、第２の凹部である窪み部２５とを有している。
【００２２】
ユニット対向領域２４は、下壁９の前部９ｂに形成されている。ユニット対向領域２４は、ＨＤＤ６の下方に位置し、ＨＤＤ６に下方から対向している。ユニット対向領域２４は、ＨＤＤ６の下方全体を覆っている。換言すれば、ＨＤＤ６は、ユニット対向領域２４内に配置されている。
【００２３】
窪み部２５は、ユニット対向領域２４と同じく、下壁９の前部９ｂに形成されている。窪み部２５は、ユニット対向領域２４との間に底面部２３を介在させるとともに、ユニット対向領域２４の側方に位置している。窪み部２５は、図示しないＯＤＤの下方に設けられているとともに、複数の通気孔が設けられている。
【００２４】
図３に示すように、底面部２３は、下壁９のなかでユニット対向領域２４および窪み部２５から外れた領域に形成されている。すなわち底面部２３は、ＨＤＤ６の下方から外れた領域に設けられている。底面部２３は、下壁９の後部９ａの大部分と、前部９ｂの一部に設けられており、下壁９のなかで最も大きな領域を形成している。すなわち、底面部２３が下壁９の主要部を形成している。
【００２５】
図３に示すように、底面部２３は、主面２７と、傾斜面２８とを有している。主面２７は、下壁９の後部９ａに形成されている。主面２７は、例えば上壁７と平行に広がっている。すなわち上壁７を水平な姿勢にしたとき、主面２７は水平に広がる。
【００２６】
図５に示すように、ＨＤＤ６は、例えば下壁９（ユニット対向領域２４）の内面との間に僅かな隙間を有して配置されている。ＨＤＤ６は、例えばユニット対向領域２４の内面に貼られたゴム部材２９の上に載置されている。
【００２７】
図３に示すように、傾斜面２８は、下壁９の前部９ｂに設けられている。傾斜面２８は、例えば、左側壁部８ｃとユニット対向領域２４との間、ユニット対向領域２４と窪み部２５との間、窪み部２５と右側壁部８ｄとの間、並びに、ユニット対向領域２４および窪み部２５と主面２７との間に形成されている。傾斜面２８は、ＨＤＤ６に対して（すなわち上壁７に対して）傾斜している。つまり、上壁７を水平な姿勢にしたとき、傾斜面２８は水平に対して傾斜する。傾斜面２８は、筐体５の後端部５ａから離れる方向に進むに従い筐体５の厚さが薄くなるように傾斜している。
【００２８】
図４に示すように、ユニット対向領域２４は、傾斜面２８よりも筐体５の内側に窪んでいる。ユニット対向領域２４は、ＨＤＤ６と平行に（すなわち上壁７と平行に）広がっている。つまり、上壁７を水平な姿勢にしたとき、ユニット対向領域２４は水平に広がる。
【００２９】
図３に示すように、底面部２３は、第１ないし第３の部分３１，３２，３３を有する。第１の部分３１は、左側壁部８ｃとユニット対向領域２４との間に設けられている。第２の部分３２は、ユニット対向領域２４と窪み部２５との間に設けられている。第３の部分３３は、窪み部２５と右側壁部８ｄとの間に設けられている。
【００３０】
すなわち、第１および第２の部分３１，３２は、互いに間にユニット対向領域２４を挟んでいる。第３の部分３３は、第１および第２の部分３１，３２とは異なる方向からユニット対向領域２４に隣り合っている。つまり、ユニット対向領域２４は、底面部２３により３方向からコ字状に囲まれている。ユニット対向領域２４は、底面部２３との間に段差部３６を有する。第１ないし第３の部分３１，３２，３３は、それぞれ傾斜面２８である底面３１ａ，３２ａ，３３ａを有する。
【００３１】
ユニット対向領域２４は、ＨＤＤ６と平行に広がる平面部３４（水平部）と、筐体５の外側に向けて膨らんだ膨らみ部３５とを有する。平面部３４は、ユニット対向領域２４のなかで膨らみ部３５から外れた領域に形成されている。膨らみ部３５は、例えばユニット対向領域２４の中央部に設けられ、ＨＤＤ６の下方を覆っている。膨らみ部３５は、例えば楕円形のドーム状に膨らんでいる。膨らみ部３５は、平面部３４に対して垂直方向に盛り上がっている。
【００３２】
図６および図７に示すように、膨らみ部３５は、傾斜面２８よりも筐体５の内側に位置する。すなわち、筐体５を側方から見たとき（例えば筐体５の左側壁部８ｃを正面視したとき）、傾斜面２８の投影視の線上から膨らみ部３５の外周部が飛び出していない。
【００３３】
詳しく述べると、図７に示すように、膨らみ部３５は、底面部２３の第１の部分３１の底面３１ａと第２の部分３２の底面３２ａとを結ぶ仮想面Ｐ（筐体５の左側壁８ｃを正面視した状態では底面３１ａのラインに一致）よりも筐体５の内側に納まっている。さらに述べると、本実施形態に係る膨らみ部３５は、第１の部分３１の底面３１ａ、第２の部分３２の底面３２ａ、および第３の部分３３の底面３３ａを結ぶ仮想面Ｐよりも筐体５の内側に納まっている。
【００３４】
図７に示すように、ユニット対向領域２４は、さらに、第２の膨らみ部３７を有している。図３に示すように、第２の膨らみ部３７は、表示部３とは反対側となるユニット対向領域２４の縁部（前縁部）と膨らみ部３５との間に設けられている。第２の膨らみ部３７は、ユニット対向領域２４の前縁部に沿って筐体５の幅方向に延び、ユニット対向領域２４の全幅に亘り設けられている。第２の膨らみ部３７は、僅かな膨らみであり、筐体５の外側に向けて、上述の膨らみ部３５（第１の膨らみ部）よりも小さく膨らんでいる。
【００３５】
次に、ポータブルコンピュータ１の作用について説明する。  
ポータブルコンピュータ１は、ＨＤＤ６のスピンドル部６ａを覆う領域に膨らみ部３５を有する。これにより、下壁９に衝撃が加わったとしても、膨らみ部３５が緩衝部として機能し、衝撃がスピンドル部６ａに直接伝わらない。これにより、ＨＤＤ６が破損しにくく、ポータブルコンピュータ１の信頼性が向上している。
【００３６】
図８は、筐体５の前側の脚部２１が載置面Ｓから外れた（落ちた）状態を示す。この状態では、筐体５の下壁９が載置面Ｓに直接に接することになる。本実施形態に係るポータブルコンピュータ１では、膨らみ部３５が傾斜面２８よりも筐体５の内側に位置する。そのため、下壁９が載置面Ｓに直接に接することになっても、底面部２３の傾斜面２８が載置面Ｓに接するとともに、膨らみ部３５は載置面Ｓに接しない。つまり、膨らみ部３５が載置面Ｓに押されない。これにより、ＨＤＤ６に振動や衝撃が伝わりにくく、ＨＤＤ６が破損しにくい。
【００３７】
このような構成のポータブルコンピュータ１によれば、耐衝撃性が向上する。すなわち、膨らみ部３５を設けることで、下壁９とＨＤＤ６の間の隙間を小さくしても、ＨＤＤ６に負荷（衝撃）が掛かりにくく、ＨＤＤ６が破損しにくくなる。これにより、機器の厚さを薄くするとともに、ＨＤＤ６の耐衝撃性を確保することができる。
【００３８】
さらに、膨らみ部３５が底面部２３の傾斜面２８よりも筐体５の内側に位置すると、例えば筐体５の前側の脚部２１が載置面Ｓから外れた時でも、膨らみ部３５が載置面Ｓに押されない。つまり、筐体５の前側の脚部２１が載置面Ｓから外れた時にＨＤＤ６に負荷（衝撃）か掛かりにくく、ＨＤＤ６が破損しにくくなっている。これにより、ポータブルコンピュータ１の耐衝撃性がさらに高いレベルで実現されている。
【００３９】
ユニット対向領域２４が底面部２３の傾斜面２８よりも筐体５の内側に窪んでＨＤＤ６と平行に広がっていると、底面部２３の傾斜面２８に対して傾いた姿勢で実装されたＨＤＤ６を支持しやすい。ＨＤＤ６を例えば上壁７に平行な姿勢にすると、ポータブルコンピュータ１の持ち運び時などの振動に対してＨＤＤ６が影響を受けにくくなる。
【００４０】
換言すれば、本実施形態に係る筐体５は、底面部２３に傾斜面２８を備えた筐体５において、ＨＤＤ６を上壁７に平行に支持するため傾斜面２８に対して窪んだユニット対向領域２４を有し、この窪んだユニット対向領域２４と傾斜面２８との高さの差を利用して、ＨＤＤ６の耐衝撃性を向上させる膨らみ部３５を設けている。
【００４１】
膨らみ部３５がＨＤＤ６のスピンドル部６ａの下方を覆うと、ＨＤＤ６の耐衝撃性が向上しやすい。膨らみ部３５が楕円形をしていると、スピンドルの位置が異なる種々のＨＤＤ６に対応することができる。
【００４２】
膨らみ部３５がドーム状に形成されていると、傾斜面２８に対して膨らみ部３５を筐体５の内側に納めやすい。また膨らみ部３５がドーム状に膨らんでいると、ＨＤＤ６に加わる衝撃をより緩和することができ、ＨＤＤ６の耐衝撃性が向上しやすい。
【００４３】
傾斜面２８が筐体５の後端部５ａから離れる方向に進むに従い筐体５の厚さが薄くなるように傾斜していると、キーボード１７を手前下がりに配置することができ、ポータブルコンピュータ１の操作性が向上する。つまり本実施形態では、このような操作性を向上させるために底面部２３に設けられた傾斜面２８を利用して、ＨＤＤ６に対する耐衝撃性の向上が図られている。
【００４４】
ユニット対向領域２４が底面部２３により３方向から囲まれていると、例えば脚部２１が載置面Ｓから外れた時、底面部２３が載置面Ｓに接して筐体５を確実に支持し、ユニット対向領域２４が載置面Ｓに接するおそれが小さくなる。これは、ポータブルコンピュータ１の耐衝撃性に寄与する。
【００４５】
ユニット対向領域２４が、ユニット対向領域２４の縁部と膨らみ部３５との間に設けられ、筐体５の外側に向けて膨らみ部３５よりも小さく膨らんだ第２の膨らみ部３７を有すると、膨らみ部３５の周囲部分をＨＤＤ６から離すことができる。これにより、膨らみ部３５が押されたときに、スピンドル部６ａの周囲に対しても力が加わりにくくなり、ＨＤＤ６の耐衝撃性が向上している。
【００４６】
以上、本発明の一つの実施形態に係るポータブルコンピュータ１について説明したが、本発明はこれらに限られるものではない。各実施形態に係る構成要素は、適宜組み合わせて実施することができる。また、本発明は、実施段階ではその要旨を逸脱しない範囲で構成要素を変形して具体化できる。
【００４７】
なお、本発明（本明細書）でいう「平行」は、厳密な意味での平行に限定されるものではなく、ある程度の幅を許容する。すなわち、本発明（本明細書）でいう「平行」は、それぞれ「略平行」である場合も含む。
【図面の簡単な説明】
【００４８】
【図１】本発明の一つの実施形態に係るポータブルコンピュータの斜視図。
【図２】図１中に示されたポータブルコンピュータの側面図。
【図３】図１中に示されたポータブルコンピュータの筐体の下面図。
【図４】図３中に示された筐体の筐体ベースの斜視図。
【図５】図１中に示されたポータブルコンピュータの内部を一部示す断面図。
【図６】図１中に示されたポータブルコンピュータの断面図。
【図７】図６中に示されたポータブルコンピュータのＦ７線で囲まれた領域を拡大して示す断面図。
【図８】図１中に示されたポータブルコンピュータの断面図。
【符号の説明】
【００４９】
Ｓ…載置面、１…ポータブルコンピュータ、３…表示部、５…筐体、５ａ…後端部、６…ＨＤＤ、６ａ…スピンドル部、９…下壁、２１…脚部、２３…底面部、２４…ユニット対向領域、２８…傾斜面、３５…膨らみ部、３７…第２の膨らみ部。
【図１】
2010140267.tif 000003
【図２】
2010140267.tif 000004
【図３】
2010140267.tif 000005
【図４】
2010140267.tif 000006
【図５】
2010140267.tif 000007
【図６】
2010140267.tif 000008
【図７】
2010140267.tif 000009
【図８】
2010140267.tif 000010